(57)【要約】【課題】弾丸を収集し易く、射撃の点数を表示し、照明効果に加えて、射撃に参加する興味と射撃時の楽しみを増進することができる、玩具銃用標的装置を提供すること。【解決手段】ケース２００の上蓋２１０内に設置された制御回路板１と、制御回路板１の前方に設置された隔離ネット２と、隔離ネット２の前方に設置されて制御回路板１と電気的に接続された金属センサーパネル３と、金属センサーパネル３の前方に設置された第１緩衝板４と、第１緩衝板４の前方に設置されて金属センサーパネル３及び制御回路板１と電気的に接続され、点数表示、ランプの点滅、音声の発生、標的点数表示が可能な標的表示板５と、標的表示板５の前方に設置された第２緩衝板６とを含む。【選択図】図１
0003199002.tif 000002
【実用新案登録請求の範囲】
【請求項１】
玩具銃用標的装置であって、
ケースの上蓋内に設置された制御回路板と、
前記制御回路板の前方に設置された隔離ネットと、
前記隔離ネットの前方に設置され、かつ前記制御回路板と電気的に接続された金属センサーパネルと、
前記金属センサーパネルの前方に設置された第１緩衝板と、
前記第１緩衝板の前方に設置され、かつ前記金属センサーパネル及び前記制御回路板と電気的に接続され、点数表示、ランプの点滅、音声の発生、標的点数表示が可能な標的表示板と、
前記標的表示板の前方に設置された第２緩衝板と、
を含むことを特徴とする、玩具銃用標的装置。
【請求項２】
前記第１緩衝板がＴＰＲ（Ｔｈｅｒｍｏ−Ｐｌａｓｔｉｃ−Ｒｕｂｂｅｒ、熱可塑性ゴム）材質であることを特徴とする、請求項１に記載の玩具銃用標的装置。
【請求項３】
前記第２緩衝板がＴＰＲ（Ｔｈｅｒｍｏ−Ｐｌａｓｔｉｃ−Ｒｕｂｂｅｒ、熱可塑性ゴム）材質であることを特徴とする、請求項１または２に記載の玩具銃用標的装置。
【請求項４】
前記標的表示板が、スコアリング区域と、標的区域と、２つのランプ表示区域と、２つのスピーカー区域を備え、前記スコアリング区域が前記標的区域の上方に設置され、前記２つのランプ表示区域が前記標的区域の右上隅及び左上隅にそれぞれ設置され、前記２つのスピーカー区域が前記標的区域の右下隅及び左下隅にそれぞれ設置され、前記標的区域が標的リングとブルを備え、前記標的リングが前記ブルの周囲を囲み、かつ前記標的リングを一定角度で複数の点数ブロックに区切って、各点数ブロックに異なる数字を表示したことを特徴とする、請求項１に記載の玩具銃用標的装置。
【請求項５】
前記２つのランプ表示区域が、少なくとも１つのＬＥＤランプで構成されることを特徴とする、請求項４に記載の玩具銃用標的装置。
【請求項６】
前記標的リングを一定角度で複数の点数ブロックに区切り、それぞれを独立して分離可能としたことを特徴とする、請求項４に記載の玩具銃用標的装置。
【考案の詳細な説明】
【技術分野】
【０００１】
本考案は、玩具銃用標的装置に関する。
【背景技術】
【０００２】
エアソフトガンの登場からすでにかなりの時間が経っているが、使用上の安全性と場所による制限を受けないこと、リアルな射撃効果で、広く消費者に好まれている。
初期のエアソフトガン用標的は、中空を呈する立方網状体を開いたものの開口面に紙製の的を取り付けて成り、射撃時の弾丸の高速力を利用して標的の紙を貫通させ、紙の穿孔数及び着弾位置で点数を計算することができ、また弾丸が貫通した後は直接後方の網の中に収集されるようになっている。このような標的は、得点の計算を手動で統計する必要があり、また着弾点が同じ位置に過度に集中していると、点数計算時に識別できず、エラーが発生することがある。
【０００３】
より先進的な設計としては、特許文献１に記載されたリモートコントロール可能な電子センサー式得点計算標的がある。この標的は、主に標的本体と、標的電子部材、センサー面、リモートコントロール装置等の部分より構成されている。前記標的本体は、図形印刷面、区域導電面、網目分層面、リング導電面等を備え、四層を接着して成り、各層の標的の形状と大きさ、ライン距離がいずれも同じで、回路印刷法を用いることができる。標的電子部材は、センサー式集積回路、超音波または赤外線受信機、デコーダー、ＬＥＤ発光体、音楽ＩＣで構成され、そのうちセンサー式集積回路のセンサー端と標的本体を接続することで、射撃が標的に当たると標的本体が信号を集積回路に出力して処理させ、着弾点の合計点の数字がディスプレイに表示されるとともに、同時にＬＥＤ発光体と音楽ＩＣが駆動されて作動することを特徴としている。 
【先行技術文献】
【特許文献】
【０００４】
【特許文献１】台湾特許公告第１７４４６１号明細書
【考案の概要】
【考案が解決しようとする課題】
【０００５】
特許文献１に記載のもののように電子標的となって得点の統計はより便利になったものの、射撃後の弾丸を集めて回収することができず、あちこちに散らばった弾丸を一つ一つ拾い集める手間があり、また隨時携帯・収納することができない。
本考案が解決しようとする課題は、上述の問題を解決し、弾丸を収集し易く、自動的に射撃の点数を表示し、照明効果に加えて、射撃者の射撃に参加する興味と射撃時の楽しみを増進することができる、玩具銃用標的装置を提供することにある。
【課題を解決するための手段】
【０００６】
本考案の玩具銃用標的装置は、ケースの上蓋内に設置された制御回路板と、前記制御回路板の前方に設置された隔離ネットと、前記隔離ネットの前方に設置され、かつ前記制御回路板と電気的に接続された金属センサーパネルと、前記金属センサーパネルの前方に設置された第１緩衝板と、前記第１緩衝板の前方に設置され、かつ前記金属センサーパネル及び前記制御回路板と電気的に接続され、点数表示、ランプの点滅、音声の発生、標的点数表示が可能な標的表示板と、前記標的表示板の前方に設置された第２緩衝板と、を含む。
【０００７】
一実施態様において、前記第１緩衝板はＴＰＲ（Ｔｈｅｒｍｏ−Ｐｌａｓｔｉｃ−Ｒｕｂｂｅｒ、熱可塑性ゴム）材質である。
一実施態様において、前記第２緩衝板はＴＰＲ（Ｔｈｅｒｍｏ−Ｐｌａｓｔｉｃ−Ｒｕｂｂｅｒ、熱可塑性ゴム）材質である。
【０００８】
一実施態様において、前記標的表示板はスコアリング区域、標的区域、２つのランプ表示区域、２つのスピーカー区域を備え、前記スコアリング区域が前記標的区域の上方に設置され、前記２つのランプ表示区域が前記標的区域の右上隅と左上隅にそれぞれ設置され、前記２つのスピーカー区域が前記標的区域の右下隅と左下隅にそれぞれ設置され、前記標的区域が標的リングとブルを備え、前記標的リングが前記ブルの周囲を囲み、かつ前記標的リングを一定角度で複数の点数ブロックに区切ってそれぞれに異なる数字を表示することができる。
【０００９】
一実施態様において、前記２つのランプ表示区域は、少なくとも１つのＬＥＤランプから構成される。
一実施態様において、前記標的リングを一定角度で区切った複数の点数ブロックは、それぞれを独立して分離させ、無線伝送方式を利用して信号を制御回路板に送信することができる。
【考案の効果】
【００１０】
本考案によれば、玩具銃の射撃者が標的表示板の標的区域（標的リングの各点数ブロックやブル）に照準を定め、弾丸で第２緩衝板を射撃すると、弾丸がケースの下蓋に落下して収集される。また、射撃点が圧力を生じ、この圧力が金属センサーパネルに伝達され、隔離ネットを介して制御回路板に電気的に接触し、制御回路板が標的表示板箇所の点数表示に対応して数字を標的表示板のスコアリング区域に伝達し、かつ同時に制御回路板を通じて２つのランプ表示区域を点滅させたり、循環的に点灯させたり、あるいは２つのスピーカー区域を制御して音楽などの音声を発生させたりすることができ、これにより照明効果を加えて射撃者の射撃に参加する興味と射撃時の楽しみを増進することができる。
【図面の簡単な説明】
【００１１】
【図１】本考案の実施例を示す玩具銃用標的装置の分解斜視図である。
【図２】本考案の実施例を示す玩具銃用標的装置の斜視図である。
【図３】本考案の実施例を示す玩具銃用標的装置の使用時における斜視図である。
【図４】本考案の実施例を示す玩具銃用標的装置のケース閉鎖時における斜視図である。
【考案を実施するための形態】
【００１２】
以下、本考案の実施例を図面に基づいて詳細に説明する。
図１に示すように、本考案の玩具銃用標的装置１００は、制御回路板１、隔離ネット２、金属センサーパネル３、第１緩衝板４、標的表示板５、第２緩衝板６を含む。
制御回路板１はケース２００の上蓋２１０内に設置できる。ケース２００は、さらに下蓋２２０を備え、下蓋２２０と上蓋２１０が枢動可能にかつ開閉可能に連結される（図２及び図４参照）。
隔離ネット２は制御回路板１の前方に設置される。
【００１３】
金属センサーパネル３は隔離ネット２の前方に設置され、かつ制御回路板１と電気的に接続される。金属センサーパネル３と制御回路板１との間には隔離ネット２が介在されて設置されるため、金属センサーパネル３が直接制御回路板１に接触することがなく、短絡を回避できる。
第１緩衝板４は金属センサーパネル３の前方に設置される。第１緩衝板４はＴＰＲ（Ｔｈｅｒｍｏ−Ｐｌａｓｔｉｃ−Ｒｕｂｂｅｒ、熱可塑性ゴム）材質から製造できるが、これに限定されない。
【００１４】
標的表示板５は、第１緩衝板４の前方に設置され、かつ金属センサーパネル３及び制御回路板１と電気的に接続される。
標的表示板５は得点表示、ランプの点滅、音声の発生、標的点数表示が可能である。即ち、図１及び図２に示すように、標的表示板５は、スコアリング区域５１、標的区域５２、２つのランプ表示区域５３、２つのスピーカー区域５４を備える。
【００１５】
スコアリング区域５１は標的区域５２の上方に設置されて得点を表示することができる。
２つのランプ表示区域５３は、標的区域５２の右上隅と左上隅にそれぞれ設置されてランプを点滅させることができる。ランプは少なくとも１つのＬＥＤランプを使用して構成できるが、これに限定されない。
２つのスピーカー区域５４は、標的区域５２の右下隅と左下隅にそれぞれ設置されて音声を発生させることができる。
【００１６】
標的区域５２は、標的リング５２１とブル５２２を備える。
標的リング５２１はブル５２２の周囲を囲み、かつ標的リング５２１は一定角度で複数の点数ブロック５２３に区切られる。点数ブロック５２３には異なる数字を表示してあり、玩具銃の射撃者が照準を合わせて射撃を行うために提供することができる。また、点数ブロック５２３は、それぞれを独立して分離させ、無線伝送方式を利用して信号を制御回路板１に送信することもできる。
【００１７】
第２緩衝板６は標的表示板５の前方に設置される。第２緩衝板６はＴＰＲ材質であるが、これに限定されない。
【００１８】
図３に示すように、玩具銃の射撃者が標的表示板５の標的区域５２（標的リング５２１の各点数ブロック５２３またはブル５２２など）に照準を合わせ、弾丸３００で第２緩衝板６を射撃すると、弾丸３００がケース２００の下蓋２２０に落下して収集されるほか、射撃点が圧力を生じ、この圧力が金属センサーパネル３に伝達され、隔離ネット２を介して制御回路板１に電気的に接触し、制御回路板１が標的表示板５箇所の点数表示に対応して数字を標的表示板５のスコアリング区域５１に伝達し、かつ同時に制御回路板１を通じて２つのランプ表示区域５３を点滅させたり、循環的に点灯させたり、あるいは２つのスピーカー区域５４を制御して音楽などの音声を発生させたりすることができ、これにより照明効果を加えて射撃者の射撃に参加する興味と射撃時の楽しみを増進することができる。
【符号の説明】
【００１９】
１００              玩具銃用標的装置
１                  制御回路板
２                  隔離ネット
３                  金属センサーパネル
４                  第１緩衝板
５                  標的表示板
５１                スコアリング区域
５２                標的区域
５２１              標的リング
５２２              ブル
５２３              点数ブロック
５３                ランプ表示区域
５４                スピーカー区域
６                  第２緩衝板
２００              ケース
２１０              上蓋
２２０              下蓋
３００              弾丸
【図１】
0003199002.tif 000003
【図２】
0003199002.tif 000004
【図３】
0003199002.tif 000005
【図４】
0003199002.tif 000006